(57)【要約】      （修正有）【課題】設置状態に応じて、空気清浄機の向きを変えることなく、吹出口を変更する機構を提供する。【解決手段】前面両側部と両側面に吸気口を形成した本体１と、本体１の上面に形成された第一吹出口２と、左右両側面に形成された第二吹出口と、第一吹出口２には空気清浄機の底部に形成した設置状態検出部１０の検出結果に基づいてモーター制御によって第一吹出口２を開閉する上蓋９とを備える。設置状態検出部１０が壁掛け設置を検出すると、第一吹出口２は閉塞され、清浄空気は第二吹出口から排気される。一方で設置状態検出部１０が床置き設置を検出すると、第一吹出口２は開放され、清浄空気は第一吹出口２と第二吹出口の両方から清浄空気が排気される。【選択図】図２
2011016072.tif 000002
【特許請求の範囲】
【請求項１】
前面あるいは側面のうちの少なくとも一面に吸気口を形成した本体と、前記本体の上面に形成された第一吹出口と、左右両側面あるいは底面のうちの少なくとも一面に形成された第二吹出口と、本体内部に送風ファンと、前記送風ファンの上流側にフィルタと、前記第一吹出口を開閉する開閉機構と、
床置き設置あるいは壁掛け設置の二種類の設置状態を検出する設置状態検出部と、その設置状態検出部の検出結果に基づいて前記第一吹出口を前記開閉機構により開閉する制御部とを備え、
前記設置状態検出部が壁掛け設置状態を検出した際には、前記第一吹出口を前記開閉機構により閉塞し、前記設置状態検出部が床置き設置状態を検出した際には、前記第一吹出口を前記開閉機構により開放することを特徴とする空気清浄機。
【請求項２】
前記設置状態検出部として、床置き設置時に先端が設置面に当接して上下方向に摺動するピンと、該ピンを先端が本体より突出する方向に付勢するバネと、前記ピンにより操作されるスイッチにより構成されることを特徴とした請求項１記載の空気清浄機。
【請求項３】
前記開閉機構をモーター制御で動作する上蓋とすることを特徴とした請求項１または請求項２に記載の空気清浄機。
【請求項４】
前記第二吹出口が底面に形成され、前記第二吹出口が床置き設置状態では設置面により閉塞される構成とすることを特徴とした請求項１から請求項３のいずれかに記載の空気清浄機。
【発明の詳細な説明】
【技術分野】
【０００１】
本発明は、床置き設置と壁掛け設置の二種類の設置状態を検出する設置状態検出部と、その設置状態検出部の検出結果に基づいて吹出口を開閉させる機構とを有する空気清浄機に関するものである。
【背景技術】
【０００２】
空気清浄機は、室内の設置された壁際から対向する壁際に向かって清浄空気を送風し、部屋全体の空気を循環させるように構成することが、室内空気の浄化を効率よく行う上で好ましい。そのために、一般に空気清浄機は、上面に吹出口を形成し、室内空気を大きく対流させるように構成している。
【０００３】
このような空気清浄機において、使用勝手を向上するために、床置き設置と壁掛け設置の両方の設置状態を選択可能にしたものが知られている（特許文献１）。空気清浄機の上面に吹出口を配設した構造を採用した場合には、空気清浄機を壁掛け設置状態で使用した際に、空気清浄機の上面の吹出口から排気される清浄空気が天井と衝突する。吹出口から排気される空気は周りの室内空気も巻き込んで流れるため、巻き込まれた室内空気に含まれる塵等が天井に衝突して付着し、天井が汚れる原因となるといった問題がある。また、マイナスイオンを含有した空気を排気する空気清浄機においては、マイナスイオンにより室内空気中の塵等が帯電し、排気流と共に天井に衝突して付着し、天井がより汚れやすくなるといった問題がある。
【０００４】
特許文献１は、上記の問題点を解決するために、空気清浄機の設置状態を検出する設置状態検出部を設け、壁掛け設置状態を検出すると、空気清浄機の上面の吹出口に取り付けられたルーバーの開き角度を小さくすることで、吹出口から排気される清浄空気の風向を真上から斜め前方に変え、吹出口から排気される空気が天井と衝突するのを抑制する構成としている。
【特許文献１】特開平１１−１５１４１４号公報
【発明の概要】
【発明が解決しようとする課題】
【０００５】
しかしながら、特許文献１の空気清浄機は、吹出口の位置は上面にあるため、壁掛け設置する位置が天井に近い場合、天井に排気した清浄空気が衝突する。排気した清浄空気が天井に衝突するため、排気された清浄空気の流れが制限されると共に、天井への衝突により排気された清浄空気の風速が低下するため、室内の奥まで空気が流れず、部屋全体に亘る空気の大きな循環が行えなくなり、エアショート(清浄空気の再吸気)が発生して、効率よく部屋全体の空気を浄化することができなくなるという問題があった。
【０００６】
また、その問題の対策として空気清浄機を上下反転させて設置することも考えられるが、操作パネル、表示パネル、ラベル等が反転することになり、使用者が操作パネル等の表示内容を判別しにくくなり、使い勝手が悪いという問題が生じる。
【０００７】
本発明は、設置状態に応じて、空気清浄機の向きを変えることなく、吹出口を変更する機構を提供することを課題とするものである。
【課題を解決するための手段】
【０００８】
前面あるいは側面のうちの少なくとも一面に吸気口を形成した本体と、前記本体の上面に形成された第一吹出口と、左右両側面あるいは底面のうちの少なくとも一面に形成された第二吹出口と、本体内部に送風ファンと、前記送風ファンの上流側にフィルタと、前記第一吹出口を開閉する開閉機構と、床置き設置あるいは壁掛け設置の二種類の設置状態を検出する設置状態検出部と、その設置状態検出部の検出結果に基づいて前記第一吹出口を前記開閉機構により開閉する制御部とを備え、前記設置状態検出部が壁掛け設置状態を検出した際には、前記第一吹出口を前記開閉機構により閉塞し、前記設置状態検出部が床置き設置状態を検出した際には、前記第一吹出口を前記開閉機構により開放することを特徴とする。
【０００９】
前記設置状態検出部として、床置き設置時に先端が設置面に当接して上下方向に摺動するピンと、該ピンを先端が本体より突出する方向に付勢するバネと、前記ピンにより操作されるスイッチにより構成されることが好ましい。
【００１０】
前記開閉機構をモーター制御で動作する上蓋とすることが好ましい。
【００１１】
前記第二吹出口が底面に形成され、前記第二吹出口が床置き設置状態では設置面により閉塞される構成とすることが好ましい。
【発明の効果】
【００１２】
本発明の請求項１によると、壁掛け設置時に上面の吹出口が閉塞され、他の面の吹出口から清浄空気が排気されるため、排気した清浄空気が天井に衝突することはなく、従って、排気された清浄空気の流れが制限されたり、排気された清浄空気の風速が低下したりすることはなく、部屋全体に亘る空気の大きな循環を行うことができる等の効果を奏する。
【００１３】
請求項２によると、床置き設置した際に、ピンが設置面により押し上げられ、押し上げられたピンがスイッチを操作することで設置状態検出を行うため、簡素な仕組みで確実な検出ができる等の効果を奏する。
【００１４】
請求項３によると、モーター制御で動作する上蓋によって上面の吹出口を開閉させるため、設置状態検出部の検出結果に応じて、上面の吹出口を自動で開閉させることができる等の効果を奏する。
【００１５】
請求項４によると、床置き設置、壁掛け設置のいずれの設置状態でも、第一吹出口または第二吹出口のいずれか一方のみとなるため、第一実施形態と比べて風量が多くなり、かつ風速も速くなり、室内空気の循環する範囲を広くさせることができ、また、第二吹出口は、床置き設置時に、設置面により閉塞される構成としたため、第二吹出口を閉塞するための特別な構成を必要とせず、構成を簡素化することができる等の効果を奏する。
【図面の簡単な説明】
【００１６】
【図１】本発明の第一実施形態における壁掛け設置状態を示す斜視図である。
【図２】同床置き設置状態を示す断面図である。
【図３】同壁掛け設置状態を示す断面図である。
【図４】同送風ファンから第一吹出口への送風路を示す断面図である。
【図５】同送風ファンから第二吹出口への送風路を示す断面図である。
【図６】同本体を上面から見た状態の断面図である。
【図７】本発明の第二実施形態における床置き設置状態を示す断面図である。
【図８】同壁掛け設置状態を示す断面図である。
【図９】同送風ファンから第一吹出口および第二吹出口への送風路を示す断面図である。
【発明を実施するための形態】
【００１７】
本発明の第一実施形態を図１乃至図６に基づいて以下に詳述する。
【００１８】
１は合成樹脂製の本体で、上面に第一吹出口２、左右両側面に第二吹出口３、前面両側部および両側面に吸気口４が形成されている。前記本体１内部には、吸気口４と第一吹出口２および第二吹出口３を連通する送風路５が形成されており、前記吸気口４の背面に前記送風路５内を通過する空気を濾過するフィルタ６が配設されている。前記送風路５には送風ファン７が配設され、送風ファン７を駆動するモーター８が本体１内に配設されている。また、前記第一吹出口２には第一吹出口２を開閉するための上蓋９が配設され、該上蓋９は図示しない制御部によって制御されるモーター（図示せず）によって開閉制御されるようになっている。尚、前記制御部と、前記制御部によって制御されるモーターと、前記上蓋９により開閉機構が構成されている。
【００１９】
１０は前記本体１の底部に配設される設置状態検出部で、前記本体１の床置き設置時に先端が設置面に当接して上下方向に摺動するピン１１と、該ピン１１の先端が本体１より突出する方向に付勢するバネ１２と、前記ピン１１により操作されるスイッチ１３により構成される。
而して、図２に示される床置き設置状態では、ピン１１は設置面に当接し、本体１の内部に押し上げられ、ピン１１がスイッチ１３を操作しスイッチ１３はＯＮ状態となる。スイッチ１３の出力に基づいて、床置き設置状態では、前記制御部が上蓋９を開けることで、第一吹出口２を開放する。第一吹出口２が開放されることで、送風ファン７の駆動によって吸気口４から吸気される室内の空気は、フィルタ６を通って浄化され、第一吹出口２と第二吹出口３から排気される。
床置き設置状態では、本体１の上面に形成される第一吹出口２が開放され、第一吹出口２から排気される排気流により、室内空気が広く循環し、室内空気を浄化する効率を向上することができる。また、本体１の両側面に形成される第二吹出口３からも清浄空気が排気されるため、第一吹出口２からの排気流と相まって一層室内空気の循環効率を向上することができる。
図３に示される壁掛け設置状態では、ピン１１の先端はバネ１２の付勢力によって本体１から下方に突出し、スイッチ１３はＯＦＦ状態となる。スイッチ１３の出力に基づいて、壁掛け設置状態では前記制御部が、上蓋９によって第一吹出口２を閉塞する。第一吹出口を閉塞したため、天井と排気流が衝突することはなく、周りの室内空気も巻き込んで流れる排気流が天井を汚すことを防ぐことができる。また、排気した清浄空気が天井に衝突しないため、排気された清浄空気の流れが制限されたり、排気された清浄空気の風速が低下したりすることがなくなる。第一吹出口２が閉塞されることにより、第二吹出口３の送風量が増大するため、室内の奥まで空気が流れ、部屋全体に亘る空気の大きな循環が行うことができ、エアショートが発生するのを防ぐことができる。
【００２０】
第一実施形態では、側面に吸気口４も第二吹出口３も形成されているが、側面でエアショートが起こらないように、側面の吸気口４が形成される面の位置と第二吹出口３が形成される面の位置とは段差１５がつけられている（図６参照）。また、図６に示されているように、第二吹出口３の形成される面は、緩やかに角度がつけられており、第二吹出口３から排気される空気は、吸気口４から吸気される気流に捕らわれない程度に、かつ背面の壁と衝突しない程度に後左右方向へ排気され、室内空気が広く循環するようになっている。
【００２１】
次に、本発明の第二実施形態を図７乃至図９に基づいて以下に詳述する。なお、上述した第一実施形態と同一部品は同一符号を附して説明を省略する。
【００２２】
第二実施形態では、第二吹出口１４が本体１の底面に形成される。壁掛け設置状態では第一実施形態と同様に前記制御部によって第一吹出口２は閉塞されるため、送風ファン７の駆動によって吸気口４から吸気される室内の空気は、フィルタ６を通って浄化され、第二吹出口１４から排気される。一方床置き設置状態では前記制御部によって第一吹出口２は開放され、第二吹出口１４は設置面によって閉塞されるため、送風ファン７の駆動によって吸気口４から吸気される室内の空気は、フィルタ６を通って浄化され、第一吹出口２から排気される。
【００２３】
第二実施形態では、床置き設置、壁掛け設置のいずれの設置状態でも、第一吹出口２または第二吹出口１４のいずれか一方のみとなるため、第一実施形態と比べて風量が多くなり、かつ風速も速くなり、室内空気を大きく循環させることができる。また、第二吹出口１４は、床置き設置時に、設置面により閉塞される構成としたため、第二吹出口１４を閉塞するための特別な構成を必要とせず、構成を簡素化することができる。
尚、本発明の空気清浄機は室内空気を浄化する手段としてフィルタ６を用いたファン式により詳述したが、例えば、電気集塵式、あるいはイオン式等のような他の周知の浄化手段を用いてもよい。
【産業上の利用可能性】
【００２４】
本発明は、室内の空気を吸気し、内部に組み込まれた浄化手段を通して浄化された空気を排気する機構となる空気清浄機に広く利用可能である。
【符号の説明】
【００２５】
１    本体
２    第一吹出口
３    第二吹出口
４    吸気口
５    送風路
６    フィルタ
７    送風ファン
８    ファン駆動用モーター
９    上蓋
１０  設置状態検出部
１１  ピン
１２  バネ
１３  スイッチ
１４  第二吹出口
１５  段差
【図１】
2011016072.tif 000003
【図２】
2011016072.tif 000004
【図３】
2011016072.tif 000005
【図４】
2011016072.tif 000006
【図５】
2011016072.tif 000007
【図６】
2011016072.tif 000008
【図７】
2011016072.tif 000009
【図８】
2011016072.tif 000010
【図９】
2011016072.tif 000011